(57)【特許請求の範囲】
【請求項１】
操作部と、一対の鉗子片と、操作部と一対の鉗子片を接続する接続ワイヤとを備え、
前記操作部は、所定の長さ延在する軸状の部材と、前記軸状の部材に該軸状の部材の長手方向に移動可能に結合されたスライダと、前記軸状の部材に形成された凹溝とを備え、
前記接続ワイヤは、シース管と、このシース管の内部に挿入された内部ワイヤとからなり、前記シース管の先端及び前記内部ワイヤの先端は前記一対の鉗子片に接続され、前記シース管の基端は前記軸状の部材に接続され、前記内部ワイヤの基端は前記凹溝に配設された連結具に接続されており、
前記スライダと前記連結具とを連結し前記軸状の部材の長手方向に沿ったスライダの移動によりスライダの移動方向と同じ方向でかつスライダの移動量に比例してスライダの移動量よりも小さい移動量で前記連結具を前記軸状の部材の長手方向に動かし前記一対の鉗子片を開閉させる連結機構が前記凹溝に設けられている、
ことを特徴とする生検鉗子。
【請求項２】
前記連結機構は、スライダの移動量の１／２の移動量で前記連結具を動かすように構成されている請求項１記載の生検鉗子。
【請求項３】
前記凹溝は前記軸状の部材の長手方向に延在形成され、この凹溝の底面には凹溝の延在方向に第１のラックが延在形成され、前記スライダがこの軸状の部材にスライド可能に結合した状態でスライダが前記第１のラックに臨む箇所には第２のラックが前記第１のラックに平行して延在形成され、前記凹溝内で第１のラックと第２のラックの間に双方のラックに噛合するピニオンが配設され、前記ピニオンは前記連結具に回転可能に支持され、前記連結機構は、これら連結具、第１のラック、第２のラック、ピニオンにより構成されている請求項１または２記載の生検鉗子。
【請求項４】
前記連結具とピニオンが前記軸状の部材の長手方向に一体に移動するように結合されている請求項３記載の生検鉗子。
【請求項５】
前記スライダは前記軸状の部材に回転不能に結合されている請求項１乃至４に何れか１項記載の生検鉗子。
【請求項６】
前記スライダが軸状の部材にスライド可能に結合した状態で前記凹溝に係合する突起がスライダの全長にわたって延在形成され、この突起と凹溝との係合によりスライダが軸状の部材に回転不能に結合され、前記第２のラックはこの突起の先部に設けられている請求項３記載の生検鉗子。
【発明の詳細な説明】
【０００１】
【発明の属する技術分野】
本発明は生検鉗子に関する。
【０００２】
【従来の技術】
図６に従来の生検鉗子の正面図を示す。
図６に示すように、生検鉗子１０２は、操作部１０４と、一対の鉗子片１０６と、操作部１０４と一対の鉗子片１０６を接続する接続ワイヤ１０８からなり、前記操作部１０４は、所定の長さ延在する軸状の部材１１０と、この軸状の部材１１０の長手方向の一端に固着された指掛け部１１２と、前記軸状の部材１１０にスライド可能に結合され前記接続ワイヤ１０８に連結されるスライダ１１４を備える。
そして、一対の鉗子片１０６と接続ワイヤ１０８が内視鏡の可撓管内に鉗子口から挿入され、指掛け部１１２に親指を掛け、スライダ１１４に人差し指と中指を掛けることで軸状の部材１１０に沿ってスライダ１１４を移動させ、接続ワイヤ１０８を介して一対の鉗子片１０６を開閉し、組織を把持し、切断するなどの措置が取られ、また、ホットバイオプシー鉗子では出血部位を把持し高周波電流を流すことで出血部位近傍の組織を焼灼して止血したり、切除するなどの措置が取られる。
このような従来の生検鉗子１０２では、一対の鉗子片１０６を開閉させるためのスライダ１１４の移動ストロークが小さく、一対の鉗子片１０６を完全に開いた状態に、あるいは完全に閉じた状態にすることはできるものの、その途中の段階、例えば、完全に閉じる手前の状態にするなどの鉗子片１０６の開閉状態の微調整を行なうことができない。
【０００３】
【発明が解決しようとする課題】
そのため、図７（Ａ）に示すように、例えば、ポリープ１２０が切除された後の断端に細い血管１２２が飛び出しその部分から出血している場合、ホットバイオプシー鉗子の一対の鉗子片１０６で血管をつまみ、焼灼、凝固、止血させる措置が取られるが、一対の鉗子片１０６の開閉状態を微調整できないため、鉗子片１０６によりポリープ１２０の茎部１２４を挟んでしまい、一対の鉗子片１０６で血管１２２を挟むことができない状態になり、血管１２２の焼灼が不十分になりがちである。
また、断端の状態によっては、図７（Ｂ）に示すように、一対の鉗子片１０６のうちの一方が茎部１２４に引っ掛かって、他方が矢印Ａに示されるように血管１２２部分を通り越して閉じてしまい、一対の鉗子片１０６で血管１２２を挟むことができない場合もある。
本発明は前記事情に鑑み案出されたものであって、本発明の目的は、一対の鉗子片の開閉状態の微調整を行なえ、生検鉗子による種々の措置を簡単に行なえるようにした生検鉗子を提供することにある。
【０００４】
【課題を解決するための手段】
前記目的を達成するため本発明の生検鉗子は、操作部と、一対の鉗子片と、操作部と一対の鉗子片を接続する接続ワイヤとを備え、前記操作部は、所定の長さ延在する軸状の部材と、前記軸状の部材に該軸状の部材の長手方向に移動可能に結合されたスライダと、前記軸状の部材に形成された凹溝とを備え、前記接続ワイヤは、シース管と、このシース管の内部に挿入された内部ワイヤとからなり、前記シース管の先端及び前記内部ワイヤの先端は前記一対の鉗子片に接続され、前記シース管の基端は前記軸状の部材に接続され、前記内部ワイヤの基端は前記凹溝に配設された連結具に接続されており、前記スライダと前記連結具とを連結し前記軸状の部材の長手方向に沿ったスライダの移動によりスライダの移動方向と同じ方向でかつスライダの移動量に比例してスライダの移動量よりも小さい移動量で前記連結具を前記軸状の部材の長手方向に動かし前記一対の鉗子片を開閉させる連結機構が前記凹溝に設けられていることを特徴とする。
【０００６】
本発明では、スライダの移動によりスライダの移動量よりも小さい移動量で接続ワイヤが動かされるので、一対の鉗子片の開閉状態の微調整が可能となる。
【０００７】
【発明の実施の形態】
次に本発明の実施の形態について説明する。
図１(Ａ)、(Ｂ)は生検鉗子の操作部の断面図、図２は図１(Ｂ)のＣ矢視図、図３は図１(B)のＤ矢視図、図４は軸状の部材の正面図、図５は連結具の斜視図を示す。
生検鉗子２は、操作部４と、一対の鉗子片１０６(図６参照)と、操作部４と一対の鉗子片１０６を接続する接続ワイヤ６からなる。
操作部４は、所定の長さ延在する軸状の部材８と、この軸状の部材８の長手方向の基端に固着されたリング状の指掛け部１０と、前記軸状の部材８にスライド可能に結合されたスライダ１２などを備える。
前記接続ワイヤ６は、シース管６０２と、その内部に挿通されたワイヤ６０４（特許請求の範囲の内部ワイヤに相当）からなり、シース管６０２の端部は軸状の部材８の長手方向の先端に固着され、ワイヤ６０４の端部は軸状の部材８の内部に挿入され、その先端に連結具１４が取着されている。
【０００８】
前記軸状の部材８には、該軸状の部材８の長手方向に延在する凹溝１６が形成され、この凹溝１６は断面が矩形で外周面に開放状に形成され、凹溝１６の底部には凹溝１６の延在方向に沿って第１のラック１８が形成されている。
【０００９】
前記スライダ１２は、筒部１２０２と、筒部１２０２の外周で筒部１２０２の長手方向に間隔をおいて形成された二つの鍔部１２０４を備える。
前記筒部１２０２の中心孔２２に前記軸状の部材８が挿通され、スライダ１２は前記軸状の部材８上を軸状の部材８の長手方向に沿って滑動可能である。
前記中心孔２２の内周面には、図２、図３に示すように、断面が矩形の突起２４が中心孔２２の全長にわたって突出形成され、突起２４の先部には前記第１のラック１８に平行して対向するように第２のラック２６が突起２４の全長にわたって形成されている。
前記突起２４は前記凹溝１６内に挿入され、これによりスライダ１２は軸状の部材８の長手方向に沿って滑動可能で、かつ、軸状の部材８に対して回転不能となる。
【００１０】
前記ワイヤ６０４と連結具１４は前記凹溝１６内に挿入され、連結具１４は凹溝１６に対応した幅で、また、第１のラック１８と第２のラック２６との間隔よりも小さい寸法の高さで形成され、凹溝１６内に移動可能に配設されている。
ワイヤ６０４の端部と連結具１４の取着は、図２に示すように、スライダ１２の外側から雄ねじ部材２８をスライダ１２及び軸状の部材８に挿通させ、雄ねじ部材２８の雄ねじ２８０２を連結具１４の雌ねじ１４０２に螺合させ、連結具１４内に挿入したワイヤ６０４の端部を締め付けることでなされている。
なお、ワイヤ６０４及び連結具１４と一体にこの雄ねじ部材２８もスライドするため、軸状の部材８には、図２、図４に示すように、雄ねじ部材２８移動用の長溝３０が形成され、また、スライダ１２には、図２に示すように、雄ねじ部材２８移動用の長溝３２が軸状の部材８の先端方向に向けて開放状に形成されている。
【００１１】
また、図３、図５に示すように、前記連結具１４の先部の二股部１４０４に軸１４０６を介してピニオン３４が回転可能に支持されている。
このピニオン３４は第１のラック１８と第２のラック２６に常時噛合している。
なお、本実施の形態では、前記スライダ１２と前記接続ワイヤ６を連結し、スライダ１２の移動によりスライダ１２の移動方向と同じ方向でかつスライダの移動量に比例してスライダ１２の移動量よりも小さい移動量で連結具１４（ワイヤ６０４）を動かす連結機構３６が第１のラック１８、第２のラック２６、ピニオン３４、連結具１４により構成されている。
【００１２】
本実施の形態では、ピニオン３４の対向する部分が、固体された第１のラック１８と、スライダ１２と一体に動く第２のラック２６とに噛合しているので、指掛け部１０に親指を掛け、鍔部１２０４の間に人差し指と中指を掛け、軸状の部材８に対してスライダ１２をスライドさせると、図１（Ａ），（Ｂ）に示すように、スライダ１２の移動に追従してピニオン３４が回転しつつスライダ１２と同じ方向にかつスライダの移動量に比例してスライダ１２の移動量の１／２の移動量で移動する。
そして、ピニオン３４に連結具１４を介して連結されたワイヤ６０４も、ピニオン３４と同様に、スライダ１２の移動に追従してスライダ１２と同じ方向にかつスライダ１２の移動量の１／２の移動量で移動する。
従って、スライダ１２を、従来のストロークの２倍のストロークで動かすことにより一対の鉗子片１０６を開閉することになり、一対の鉗子片１０６の開閉状態の微調整を行なうことが可能となる。
【００１３】
そのため、図７（Ｃ）に示すように、ポリープ１２０が切除された後の断端に細い血管１２２が飛び出し、その血管１２２部分から出血し、ホットバイオプシー鉗子の一対の鉗子片１０６で血管をつまみ、焼灼、凝固、止血させる措置を取る場合、一対の鉗子片１０６の開閉状態を血管１２２を挟む程度の間隔に微調整できるので、一対の鉗子片１０６により血管１２２を簡単に確実に挟め、上記の措置が簡単になされるようになる。
【００１４】
なお、本発明は高周波電流を用いるホットバイオプシー鉗子のみに限定されず、また、一対の鉗子片の大きさに限定されず、全ての種類の鉗子に広く適用される。
また、ピニオン３４と同軸上にピニオン３４と直径の異なる第２のピニオンをピニオン３４と一体回転するように設け、ピニオン３４と第２のピニオンのうちの一方を第１のラック１８に、他方を第２のラック２６に噛合させるようにしてもよく、このように構成することで、スライダ１２の動きに対するワイヤ６０４の移動量を所望の値に変えることが可能となる。
【００１５】
【発明の効果】
以上の説明で明らかなように本発明によれば、一対の鉗子片を開閉するためのスライダのストロークが大きくなり、従って、一対の鉗子片の開閉状態の微調整を行なえ、生検鉗子による種々の措置が簡単に行なえるようになる。
【図面の簡単な説明】
【図１】（Ａ）、（Ｂ）は生検鉗子の操作部の断面図である。
【図２】図１（Ｂ）のＣ矢視図である。
【図３】図１（Ｂ）のＤ矢視図である。
【図４】軸状の部材の正面図である。
【図５】連結具の斜視図である。
【図６】従来の生検鉗子の正面図である。
【図７】（Ａ）、（Ｂ）、（Ｃ）はポリープが切除された後の断端から飛び出している細い血管を一対の鉗子片により挟む際の説明図である。
【符号の説明】
２  生検鉗子
４  操作部
６  接続ワイヤ
８  軸状の部材
１０  指掛け部
１２  スライダ
１４  連結具
１６  凹溝
１８  第１のラック
２４  突起
２６  第２のラック
３４  ピニオン
３６  連結機構
１０６  一対の鉗子片
【図１】
0003548397.tif 000002
【図２】
0003548397.tif 000003
【図３】
0003548397.tif 000004
【図４】
0003548397.tif 000005
【図５】
0003548397.tif 000006
【図６】
0003548397.tif 000007
【図７】
0003548397.tif 000008